(57)【要約】【課題】異常発生時、在室者に危険性を報知することができる入退室管理システムを提供する。【解決手段】入退室管理すべき特定の居室の扉４近傍に設けられた入室用カードリーダ２及び退室用カードリーダ３と、前記入室用カードリーダ２と前記退室用カードリーダ３による読み取りデータの照合に基づいて前記扉４の施解錠を制御する入退室管理装置１とを備えた入退室管理システムにおいて、前記居室内にブザー５及び在室延長ボタン６をさらに備え、前記入退室管理装置１は、前記入室用カードリーダ２による入室操作後の在室時間をカウントし、カウント時間が予め設定された在室予定時間を経過しても前記退室用カードリーダ３による退室操作が行われなかった場合に、前記ブザー５を鳴動させて退室を促す。【選択図】図２
2007115018.tif 000002
【特許請求の範囲】
【請求項１】
入退室管理すべき特定の居室の扉近傍に設けられた入室用カードリーダ及び退室用カードリーダと、
前記入室用カードリーダと前記退室用カードリーダによる読み取りデータの照合に基づいて前記扉の施解錠を制御する制御手段と
を備えた入退室管理システムにおいて、
前記居室内にブザーをさらに備え、
前記制御手段は、前記入室用カードリーダによる入室操作後の在室時間をカウントし、カウント時間が予め設定された在室予定時間を経過しても前記退室用カードリーダによる退室操作が行われなかった場合に、前記ブザーを鳴動させて退室を促す
ことを特徴とする入退室管理システム。
【請求項２】
請求項１に記載の入退室管理システムにおいて、
前記居室内に在室延長ボタンをさらに備え、
前記制御手段は、前記在室延長ボタンの操作に基づいて前記ブザーの鳴動を停止させて、在室予定時間を延長する
ことを特徴とする入退室管理システム。
【請求項３】
請求項２に記載の入退室管理システムにおいて、
前記制御手段は、前記ブザーの鳴動後、前記退室用カードリーダによる退室操作が行われなく、前記在室延長ボタンも操作されない状態が一定時間経過した場合に、居室内で異常が発生したものと判断し、通報先へ発報する
ことを特徴とする入退室管理システム。
【発明の詳細な説明】
【技術分野】
【０００１】
この発明は、危険な作業を伴う居室などへの入退室を管理する入退室管理システムに関するものである。
【背景技術】
【０００２】
従来、建物や居室への入退室管理は、コンピュータ制御により行われてきた。すなわち、入退室管理する特定の居室への扉の近傍に、入室用と退室用のカードリーダをそれぞれ備えると共に、これらカードリーダによる読み取りデータに基づいて入退室管理する入退室管理装置を備え、居室に入る場合、入室用カードリーダを操作し、入退室管理装置によるデータ照合の結果、入室許可者であった場合のみ扉を一時解錠し、退室時も同様にして、退室用カードリーダを操作し、入退室管理装置によるデータ照合の結果、退室許可者であった場合のみ扉を一時解錠する。
【０００３】
また、カードを読み取りＩＤ番号を判別して、集合玄関を解錠し在室管理情報を更新する出入管理システムがある（例えば、特許文献１参照）。
また、作業者が携帯する監視端末が監視対象の複数の端末と確認信号を送受信し最終退室を監視する最終退室監視端末がある（例えば、特許文献２参照）。
【０００４】
【特許文献１】特開平０５−２０５１６７号公報
【特許文献２】特開２００５−０１８１２７号公報
【発明の開示】
【発明が解決しようとする課題】
【０００５】
従来の入退室管理システムはこのように構成されているので、入退室の管理はできるが、危険な作業を伴うエリア内などの場合、在室者に異常が発生していても検出できない問題点があった。
【０００６】
この発明は上述した点に鑑みてなされたもので、異常発生時在室者に危険性を報知することができる入退室管理システムを提供することを目的とする。
【課題を解決するための手段】
【０００７】
この発明に係る入退室管理システムは、入退室管理すべき特定の居室の扉近傍に設けられた入室用カードリーダ及び退室用カードリーダと、前記入室用カードリーダと前記退室用カードリーダによる読み取りデータの照合に基づいて前記扉の施解錠を制御する制御手段とを備えた入退室管理システムにおいて、前記居室内にブザーをさらに備え、前記制御手段は、前記入室用カードリーダによる入室操作後の在室時間をカウントし、カウント時間が予め設定された在室予定時間を経過しても前記退室用カードリーダによる退室操作が行われなかった場合に、前記ブザーを鳴動させて退室を促すことを特徴とする。
【発明の効果】
【０００８】
この発明によれば、在室時間が予め設定された在室予定時間を経過することによる異常発生時に在室者に危険性を報知することができる。
【発明を実施するための最良の形態】
【０００９】
実施の形態１．
図１は、この発明の実施の形態１に係る入退室管理システムの構成を示すブロック図である。図１に示される入退室管理システムは、入退室管理すべき特定の居室の扉４近傍に設けられた入室用カードリーダ２及び退室用カードリーダ３と、入室用カードリーダ２と退室用カードリーダ３による読み取りデータの照合に基づいて扉４の施解錠を制御する制御手段としての入退室管理装置１と、居室内に設けられたブザー５及び在室延長ボタン６と、入退室管理装置１から異常時発報を受ける中央監視装置７とを備えている。
【００１０】
ここで、入退室管理装置１は、入室用カードリーダ２による入室操作後の在室時間をカウントし、カウント時間が予め設定された在室予定時間を経過しても退室用カードリーダ３による退室操作が行われなかった場合に、ブザー５を鳴動させて退室を促すと共に、在室延長ボタン６の操作に基づいてブザー５の鳴動を停止させて、在室予定時間を延長し、さらに、ブザー５の鳴動後、退室用カードリーダ３による退室操作が行われなく、在室延長ボタン６も操作されない状態が一定時間経過した場合に、居室内で異常が発生したものと判断し、通報先としての中央監視装置７へ発報するようになされている。
【００１１】
次に、上記構成に係る入退室管理システムの動作について、主に入退室管理装置１の動作内容である図２に示すフローチャートを参照して説明する。
入退室管理装置１の図示しない記憶部には、入退室管理すべき居室内の在室予定時間が予め設定されており、入退室管理装置１は、入室用カードリーダ２による入室時操作、つまり入室用カードリーダ２による入室者が所持するカードの読み取りデータを照合し、データ照合の結果、入室許可者であった場合のみ扉４を一時解錠するが、このとき、入室許可した後の時間をカウントし、カウント時間が在室予定時間を経過したか否かを判定する（ステップ１）。
【００１２】
在室予定時間が経過すれば、退室用カードリーダ３による入室時操作と同様な退室時操作が行われたか否かが判定される（ステップ２）。データ照合の結果、退室許可者であった場合のみ扉４を一時解錠する。在室予定時間を経過しても退室用カードリーダ３による退室時操作が行われなくまだ退室していない場合は、居室内のブザー５を鳴らし（ステップ３）、在室者に退室を促す。
【００１３】
この状態で、在室者が残作業などで在室を延長する場合は、居室内に設置された在室延長ボタン６が操作されることで（ステップ４）、ブザー５の鳴動を停止させ（ステップ５）、在室予定時間を延長する（ステッブ６）。
【００１４】
ブザー５が鳴っても在室者が退室せず（ステップ７）、在室延長ボタン６も操作されない状態が一定時間経過した場合（ステップ８）は、居室内で異常が発生したものと判断し、中央監視装置７に発報する（ステップ９）。他方、在室延長ボタン６が操作されない状態が一定時間経過する前は、ステップ２に移行する。
【００１５】
ブザー５が鳴動し、在室延長ボタン６が操作されなく、退室用カードリーダ３による退室時操作が行われた場合は、ブザー５の鳴動を停止させる（ステップ１０）。
【００１６】
従って、上記実施の形態によれば、入室用カードリーダ２による入室操作後の在室時間が予め設定された在室予定時間を経過しても退室用カードリーダ３による退室操作が行われなかった場合に、ブザー５を鳴動させて退室を促すようにしたので、在室時間が予め設定された在室予定時間を経過することによる異常発生時に在室者に危険性を報知することができる。
【００１７】
また、在室延長ボタン６の操作に基づいてブザー５の鳴動を停止させて、在室予定時間を延長することができる。
【００１８】
さらに、ブザー５の鳴動後、退室用カードリーダ３による退室操作が行われなく、在室延長ボタン５も操作されない状態が一定時間経過した場合に、居室内で異常が発生したものと判断し、通報先へ発報するようにしたので、危険な作集を伴うエリアなどの在室者の安否確認ができ、異常発生時には敏速に対応することができる。
【００１９】
なお、在室者が複数いる場合は、個々に在室予定時間や在室延長の設定ができることも可能である。
【図面の簡単な説明】
【００２０】
【図１】この発明の実施の形態１に係る入退室管理システムの構成を示すブロック図である。
【図２】図１に示す入退室管理装置１の動作内容を示すフローチャートである。
【符号の説明】
【００２１】
１  入退室管理装置（制御手段）、２  入室用カードリーダ、３  退室用カードリーダ、４  扉、５  ブザー、６  在室延長ボタン、７  中央監視装置。
【図１】
2007115018.tif 000003
【図２】
2007115018.tif 000004